(57)【要約】 【課題】コネクタの連結結合の確認をきわめて簡単な構成の結合確認リングにより行い、さらに連結結合解除をするために、結合確認リングを外さなければできないようにして、結合確認も結合解除も確実に確認し、簡単な構成により安全なコネクタの結合確認装置を提供することを目的とする。【解決手段】雄コネクタ１の外側に前方に押し込みスライドすることにより雌コネクタ２と連結結合し、後方に引き込みスライドすることにより雌コネクタ２との連結結合を解除する接続スリーブ１１を設け、接続スリーブ１１の前方押し込み状態の雌コネクタ２との連結結合位置のこの接続スリーブ１１の後端に近接して雄コネクタ１に結合確認リング３０を着脱自在に設けてあることを特徴とする。【選択図】図１
2013033623.tif 000002
【特許請求の範囲】
【請求項１】
雄コネクタの外側に、前方に押し込みスライドすることにより雌コネクタと連結結合し、後方に引き込みスライドすることにより雌コネクタとの連結結合を解除する接続スリーブを設け、接続スリーブの前方押し込み状態の雌コネクタとの連結結合位置のこの接続スリーブの後端に近接して雄コネクタに結合確認リングを装着してあることを特徴とするコネクタの結合確認装置。
【請求項２】
雄コネクタの外側に、前方に押し込みスライドすることにより雌コネクタと連結結合し、後方に引き込みスライドすることにより雌コネクタとの連結結合を解除する接続スリーブを設け、接続スリーブの前方押し込み状態の雌コネクタとの連結結合位置のこの接続スリーブの後端に近接して雄コネクタに結合確認リングを着脱自在に設けてあることを特徴とするコネクタの結合確認装置。
【請求項３】
上記結合確認リングが雄コネクタの上記接続スリーブの外径の延長線上より内側に位置付けられていることを特徴とする上記請求項１又は２に記載のコネクタの結合確認装置。
【請求項４】
上記雄コネクタが、中心コンタクトの外側に絶縁体を嵌装し、この絶縁体の外側にシェル本体を嵌装し、このシェル本体に円筒状であって間隔を置いて軸方向に沿うスリットを形成した内側シェルを圧入して設け、この内側シェルの外側にスライド可能な接続スリーブを設けてあり、上記雌コネクタが、中心コンタクトの外側に絶縁体を嵌装し、絶縁体の外側にシェル本体を嵌装してあり、上記雄コネクタの内側シェルの開放端に外側の膨出部と内側の膨出部を設け、上記接続スリーブの内側に内側シェルの外側の膨出部と協働して内側シェルの開放端を内向きに変位するカム面を設けてあり、雌コネクタの外表面に上記雄コネクタの内側シェルの内側の膨出部を受け入れる凹溝を設けてあることを特徴とする上記請求項１乃至３の何れかに記載のコネクタの結合確認装置。
【請求項５】
上記結合確認リングが一部を開放したリングであり、弾性を有する材料からなる上記請求項１乃至４の何れかに記載のコネクタの結合確認装置。
【発明の詳細な説明】
【技術分野】
【０００１】
本発明は、電子回路や光通信において配線を接続するためのコネクタの結合確認装置に関する。
【背景技術】
【０００２】
配線用のコネクタは雌コネクタと雄コネクタとから構成され、両者をワンタッチで連結結合させるコネクタは公知であり、両者の連結結合が確実に結合されているかどうかを確認する結合確認装置も知られている（例えば特許文献１）。
【先行技術文献】
【特許文献】
【０００３】
【特許文献１】実公平３−１７１１５号公報
【発明の開示】
【発明が解決しようとする課題】
【０００４】
上記公知のコネクタの結合確認装置は、常時確認部材がコネクタに装備され、コネクタの結合確認は確認部材の変形により行われている。しかも、この確認部材の変形は、一旦コネクタの連結結合がなされると、そのまま維持され、その後連結結合が解除されても、その確認は行われないという課題がある。
本発明は、上記課題に鑑み、コネクタの連結結合の確認をきわめて簡単な構成の結合確認リングにより行い、さらに連結結合解除をするために、結合確認リングを外さなければできないようにして、結合確認も結合解除も確実に確認し、簡単な構成により安全なコネクタの結合確認装置を提供することを目的とする。
【課題を解決するための手段】
【０００５】
そのために、本発明コネクタの結合確認装置は、雄コネクタの外側に、前方に押し込みスライドすることにより雌コネクタと連結結合し、後方に引き込みスライドすることにより雌コネクタとの連結結合を解除する接続スリーブを設け、接続スリーブの前方押し込み状態の雌コネクタとの連結結合位置のこの接続スリーブの後端に近接して雄コネクタに結合確認リングを装着してあることを特徴とするものである。
【０００６】
また、本発明コネクタの結合確認装置は、雄コネクタの外側に、前方に押し込みスライドすることにより雌コネクタと連結結合し、後方に引き込みスライドすることにより雌コネクタとの連結結合を解除する接続スリーブを設け、接続スリーブの前方押し込み状態の雌コネクタとの連結結合位置のこの接続スリーブの後端に近接して雄コネクタに結合確認リングを着脱自在に設けてあることを特徴とするものである。
【０００７】
さらに、本発明コネクタの結合確認装置は、上記結合確認リングが雄コネクタの上記接続スリーブの外径の延長線上より内側に位置付けられていることを特徴とするものである。
【０００８】
上記雄コネクタが、中心コンタクトの外側に絶縁体を嵌装し、この絶縁体の外側にシェル本体を嵌装し、このシェル本体に円筒状であって間隔を置いて軸方向に沿うスリットを形成した内側シェルを圧入して設け、この内側シェルの外側にスライド可能な接続スリーブを設けてあり、上記雌コネクタが、中心コンタクトの外側に絶縁体を嵌装し、絶縁体の外側にシェル本体を嵌装してあり、上記雄コネクタの内側シェルの開放端に外側の膨出部と内側の膨出部を設け、上記接続スリーブの内側に内側シェルの外側の膨出部と協働して内側シェルの開放端を内向きに変位するカム面を設けてあり、雌コネクタの外表面に上記雄コネクタの内側シェルの内側の膨出部を受け入れる凹溝を設けてあることを特徴とするものである。
上記結合確認リングが一部を開放したリングであり、弾性を有する材料からなることを特徴とするものである。
【発明の効果】
【０００９】
本発明のコネクタ結合確認装置は、雄コネクタの外側に、前方に押し込みスライドすることにより雌コネクタと連結結合し、後方に引き込みスライドすることにより雌コネクタとの連結結合を解除する接続スリーブを設け、接続スリーブの前方押し込み状態の雌コネクタとの連結結合位置のこの接続スリーブの後端に近接して雄コネクタに結合確認リングを装着してあることを特徴とするから、該結合確認リングを装着しっぱなしの状態でも、コネクタの連結結合の確認をきわめて簡単な構成の結合確認リングにより行うことができ、さらに、簡単な構成によるコネクタの結合確認装置を提供できる効果を有する。
【００１０】
また、本発明のコネクタ結合確認装置は、雄コネクタの外側に、前方に押し込みスライドすることにより雌コネクタと連結結合し、後方に引き込みスライドすることにより雌コネクタとの連結結合を解除する接続スリーブを設け、接続スリーブの前方押し込み状態の雌コネクタとの連結結合位置のこの接続スリーブの後端に近接して雄コネクタに結合確認リングを着脱自在に設けてあることを特徴とするから、コネクタの連結結合の確認をきわめて簡単な構成の結合確認リングにより行うことができ、さらに連結結合解除のためには結合確認リングを外さなければできないから、結合解除も確実に確認して簡単な構成によるコネクタの結合確認装置を提供できる効果を有する。
【００１１】
さらに、本発明のコネクタ結合確認装置は、上記結合確認リングが雄コネクタの上記接続スリーブの外径の延長線上より内側に位置付けられていることを特徴とするものであるから、結合確認リングが上記接続スリーブの外径より外側に突出することがなく、この結合確認リングが偶然に何かに当たって外れることがなく、安全性を高めた効果を有する。
【図面の簡単な説明】
【００１２】
【図１】本発明コネクタの結合確認装置の結合状態の斜面図である。
【図２】本発明コネクタの結合確認装置の結合解除状態の斜面図である。
【図３】雄コネクタの実施例の半断面図である。
【図４】雌コネクタの実施例の半断面図である。
【図５】両コネクタの結合の半断面図である。
【発明を実施するための形態】
【００１３】
図面に示した実施例により本発明の詳細を説明する。
図１乃び図２に本発明コネクタの結合確認装置を示してあり、図中符号１が雄コネクタであり、符号２が雌コネクタである。雄コネクタ１の外側には、後述する実施例で説明する接続スリーブ１１を設けてあり、この接続スリーブ１１を前方に押し込みスライドすることにより雄コネクタ１と雌コネクタ２とを連結結合するようにしてあり、これら両コネクタの連結結合状態で、接続スリーブ１１を後方に引き込みスライドすることにより雄コネクタ１と雌コネクタ２との連結結合を解除するようにしてある。
【００１４】
上記接続スリーブ１１の前方押し込み状態の雌コネクタ２との連結結合位置のこの接続スリーブ１１の後端に近接した雄コネクタ１にリング状の凹溝１９を設けてあり、両コネクタの連結結合状態で、この結合状態を確認する結合確認リング３０を上記凹溝１９に装着して設けてある。この結合確認リング３０は、リングの一部を除去して開放部３１を構成したリングであり、この開放部３１から凹溝１９に嵌め込むようにして着脱自在にしてあり、そのために、この結合確認リング３０は弾性を有する材料からなり、好ましくは硬質弾性プラスチックで形成してある。この結合確認リング３０に上記開放部３１の反対側に取手部３２を突出して設けてある。
【００１５】
上記請求項１に示した両コネクタの連結結合状態で結合確認リング３０を上記凹溝１９に装着してある状態は、両コネクタの連結結合或いは連結結合解除の状態のテストを終えて、連結結合状態が維持されている状態が通常である。
上記請求項２に示した結合確認リング３０を着脱自在にしてあることは、上記した両コネクタの連結結合あるいは連結結合解除状態のテストを行う際に、結合確認リング３０を装着したり外したりするときに行うことである。
【００１６】
多数のコネクタが集合して配備されることがあり、このような状態において上記請求項３に示すように、結合確認リング３０が雄コネクタ１の接続スリーブ１１の外径の延長線上より内側に位置付けてあることにより、この結合確認リング３０が接続スリーブ１１の外径の延長線上より外側に突出することなく、種々の作業に際して、この結合確認リング３０が邪魔になることなく、偶然に外されるおそれなく安全である。
また、多数のコネクタが集合して配備される状態において、配線の種類を確認するためにこの結合確認リング３０を着色し、色分けすることが便利な場合がある。
【００１７】
図３に雄コネクタ１の一実施例の半断面図を示してあり、図３に示す通り、中央コンタクト３の外側に絶縁体４を嵌装してあり、この絶縁体４の外側にシェル本体５を嵌装してある。このシェル本体５は図３に示すように筒状であり、このシェル本体５の外側に、第二のシェル部材６が嵌装してある。この第二のシェル部材６に上記凹溝１９を有する。
【００１８】
図中８が内側シェルで、この内側シェル８は円筒状であって、間隔を置いて、望ましくは等間隔のスリット９を雄コネクタの軸方向に沿うように形成してあり、このスリット９は内側シェル８の後端にまでは達しないように形成してある。即ち、この内側シェル８の後端にはスリット９は形成されていない。そして、このスリット９の形成されていない内側シェル８の後端をシェル本体５の外側に圧入構成してあり、保持金具１０により保持してある。上記内側シェル８の開放端には、外側の膨出部１２と内側の膨出部１３を設けてある。
【００１９】
この内側シェル８の外側に接続スリーブ１１をスライド可能に設けてある。この接続スリーブ１１は、保持金具１０の外側にスライド可能に嵌装支持されている。この接続スリーブ１１の前端は内側に折曲した折曲前端１５を形成し、その僅か後方位置に内向きに傾斜するカム面１６を有し、折曲前端１５とカム面１６との間に形成された凹部１７に内側シェル８の前端の外側膨出部１２を受容するようにしてある。
【００２０】
図４に雌コネクタ２が示してあり、図４の半断面に示すように雌コネクタ２は、中心コンタクト２１の外側に絶縁体２２を嵌装してあり、この絶縁体２２の外側にシェル本体２３を嵌装してある。このシェル本体２３の外側外周に凹溝２５を設けてあり、この凹溝２５に上記雄コネクタ１の内側シェル８の先端の内側膨出部１３が嵌りこみ、協働するようにしてある。
【００２１】
図３に示す雄コネクタ１は、雌コネクタ２に連結結合する前の状態が示してある。雄コネクタ１と雌コネクタ２とを連結結合するためには、雌コネクタ２に対してその外側に雄コネクタ１を嵌装するようにして連結する。即ち、雄コネクタ１の内側シェル８の外側膨出部１２が接続スリーブ１１の内側の凹部１７に入り込んでいる状態であるから、内側シェル８の開口端は拡がった状態にある。従って、雌コネクタ２が雄コネクタ１の開口から挿入される状態で雄コネクタ１を雌コネクタ２に嵌装できる。
【００２２】
このようにして、雄コネクタ１を雌コネクタ２に嵌装した状態で、接続スリーブ１１をシェル本体５及び内側シェル８に対して、図３上右方向にスライドすると、即ち雄コネクタ１を前方にスライドすると、接続スリーブ１１の内面のカム面１６が内側シェル８の先端の外側の膨出部１２を乗り越え、内側シェル８の開放端を内向きに締め込む働きをし、内側シェル８の開放端の内側の膨出部１３が雌コネクタ２の凹溝２５に嵌り込み、雄コネクタ１と雌コネクタ２とは連結結合する。
【００２３】
この状態で雄コネクタ１の凹溝１９が露呈し、この凹溝１９に結合リング３０を嵌め込み、雄コネクタ１と雌コネクタ２との連結結合が確実に行われていることを確認できるようにしたものである。
次にこの雄コネクタ１と雌コネクタ２との結合を解除するためには、上記結合リング３０が嵌め込まれている状態では、雄コネクタを後方にスライドできないから解除ができない。従って、上記結合リング３０を雄コネクタ１から除去した後、接続スリーブ１１を後方にスライドして両コネクタの結合を解除する。
即ち、雄コネクタ１と雌コネクタ２との結合及び解除を確実に安全に行うことができる。
【符号の説明】
【００２４】
１  雄コネクタ
２  雌コネクタ
１１  接続スリーブ
１９  凹溝
３０  結合リング
【図１】
2013033623.tif 000003
【図２】
2013033623.tif 000004
【図３】
2013033623.tif 000005
【図４】
2013033623.tif 000006
【図５】
2013033623.tif 000007